(57)【要約】      （修正有）【課題】書籍のブックカバーに情報冊子部を一体的に形成し、これを広告、宣伝その他の情報を掲載する用途に活用できるようにした、情報冊子部付きブックカバーを提供する。【解決手段】書籍１２の表紙１３全体を被い、かつその両端もしくは一方を表紙に係合して保持するブックカバー１１において、ブックカバーの片側もしくは両側の内側に、広告、宣伝その他の情報を掲載する情報冊子部１４を設けたことを特徴とする情報冊子部付きブックカバー。【選択図】図１
0003139828.tif 000002
【実用新案登録請求の範囲】
【請求項１】
書籍の表紙全体を被い、かつその両側端部もしくは一方の側の端部を表紙に係合して保持するブックカバーにおいて、ブックカバーの両側もしくは片側の内側に、広告、宣伝その他の情報を掲載する情報冊子部を設けたことを特徴とする情報冊子部付きブックカバー。
【請求項２】
ブックカバーが、情報冊子部の書籍と隣接する内側紙片に、書籍の表紙に係合する折込み部が設けられており、情報冊子部を切り離さないようにしたことを特徴とする請求項１に記載の情報冊子部付きブックカバー。
【請求項３】
ブックカバーが、情報冊子部の書籍と隣接する内側紙片とは反対側の外側紙片に、書籍の表紙に係合する折込み部が設けられており、折込み部と情報冊子部の連結部が切り離し可能になっていることを特徴とする請求項１に記載の情報冊子部付きブックカバー。
【請求項４】
情報冊子部が、ブックカバーを外装した書籍とほぼ同サイズであり、したがって書籍と一体感をもって読むことができるようにしたことを特徴とする請求項１ないし３のいずれかに記載の情報冊子部付きブックカバー。
【考案の詳細な説明】
【技術分野】
【０００１】
この考案は、書店等において書籍を購入する際にその表紙にかけられるブックカバーに関するものである。
【背景技術】
【０００２】
現在、書籍に大量の情報を新たに付加するには、独立した冊子を用意することが必要であった。とはいえ、前記冊子を書籍の中に挿入すると書籍がゆがんでしまう。また書籍とは別に冊子を渡すと冊子の方はほとんど読まれることがない。そのため、せいぜい数枚の冊子を書籍の中に挟み込むしか方法がなく、情報量が極めて少ないものとなっていた。
他方、書店等において書籍を購入した際にサービスとしてかけられるカバーとしては、両側もしくは一方の側に書店の名称や簡単な図柄が印刷され、カバーする書籍の大きさに裁断された紙製のものが大部分である。これは、この種カバーが書店側のサービスとして顧客に供されるため、安価でなければならないという事情からである。
【０００３】
近年、このようなブックカバーを利用して種々の情報を書籍の購入者に提供することが試みられている。
例えば、実開昭５０−８５３２２号公報（特許文献１参照）には、ブックカバーに袋状の収納部を設け、これに広告紙その他の紙片を収納する、内面に書類広告紙等の収納袋部を設けた書籍カバーが示されている。
また、実用新案登録第３００７６７０号公報（特許文献２参照）には、ブックカバーの折込み部を複数回折り畳んで情報スペースとした情報スペース付きブックカバーが開示されている。
【特許文献１】実開昭５０−８５３２２号公報
【特許文献２】実用新案登録第３００７６７０号公報
【考案の開示】
【考案が解決しようとする課題】
【０００４】
しかしながら、特許文献１のように単にブックカバーに袋状の収納部を設けたものは多数存在するが、広告紙等は袋状の収納部から取り出して読み終えた後は収納部に入れて再度利用するということはなく、読書の際に邪魔になるため捨てられてしまうことが多かった。
また特許文献２のように、ブックカバーの折込み部を複数回折り畳んで情報スペースとした情報スペース付きブックカバーにおいては、折込み部が複数回折り畳まれているのでいちいちそれを引き伸ばして読まなければならず、手間がかかりすぎて扱いずらいために、ほとんど利用されていないのが実情である。
【０００５】
この考案は従来例の上記問題点を解決しようとするもので、書籍のブックカバーに情報冊子部を一体的に形成し、これを広告、宣伝その他の情報を掲載する用途に活用できるようにした、情報冊子部付きブックカバーを提供しようとするものである。
【課題を解決するための手段】
【０００６】
すなわち、この考案は以上の目的を達成するための情報冊子部付きブックカバーであって、書籍の表紙全体を被いかつその両側端部もしくは一方の側の端部を表紙に係合して保持するブックカバーにおいて、ブックカバーの両側もしくは片側の内側に、広告、宣伝その他の情報を掲載する情報冊子部を設けたことを特徴とするものである。
【０００７】
この考案の情報冊子部付きブックカバーは、上記ブックカバーが、情報冊子部の書籍と隣接する内側紙片に、書籍の表紙に係合する折込み部が設けられており、情報冊子部を切り離さないようにしたこと、あるいは情報冊子部の書籍と隣接する内側紙片とは反対側の外側紙片に、書籍の表紙に係合する折込み部が設けられており、折込み部と情報冊子部の連結部が切り離し可能としたことをも特徴とするものである。
また、上記情報冊子部が、ブックカバーを外装した書籍とほぼ同サイズであり、したがって書籍と一体感をもって読むことができるようにしたことをも特徴とするものである。
【考案の効果】
【０００８】
以上の構成よりなるこの考案に係る情報冊子部付きブックカバーは、余り利用されていなかったブックカバーの折り返し部分に情報冊子部を設けたものであり、読書の際に書籍の本文と違和感なく読むことができる。
したがって、読み終えた後も捨てられてしまうことはほとんどなく、また不要になった場合には情報冊子部のみ切り離すことができるので、書籍のみをブックカバー付きで保管することができる。
また折込み部が複数回折り畳まれている場合のように手間がかかることもなく、非常に取り扱いやすいために情報冊子部を設けた効果はきわめて大きいものである。
【０００９】
しかもその構成は、紙製のブックカバーに情報冊子部を一体に設けるものであることから、きわめて安価に供給することができるばかりではなく、例えば宣伝広告のための収入等を期待することができるという利点を有する。
【考案を実施するための最良の形態】
【００１０】
以下、この考案の情報冊子部付きブックカバーの実施の形態を図面に基づき説明する。
図１はこの考案に係る情報冊子部付きブックカバーの１実施例を示し、書籍に取り付ける場合の斜視図である。
図２は情報冊子部を切り離すタイプの情報冊子部付きブックカバーの斜視図、図３は情報冊子部を切り離した状態の斜視図、図４は情報冊子部を切り離すタイプの情報冊子部付きブックカバーを示し、（ａ）はブックカバーの折込み部を情報冊子部の書籍と隣接する内側紙片に設けて書籍の表紙をはめ込んだ場合の上面図、（ｂ）はブックカバーから情報冊子部を切り離し、情報冊子部の外側紙片に設けたブックカバーの折込み部に書籍の表紙をはめ込んだ場合の上面図、また（ａ’）は情報冊子部の外側紙片に設けたブックカバーの折込み部に書籍の表紙をはめ込んだ場合の上面図、（ｂ’）はブックカバーから情報冊子部を切り離した場合の上面図、図５は情報冊子部を切り離さないタイプを示す上面図である。
【００１１】
上記図１ないし図５において、１１はブックカバー本体であり、カバーする書籍１２を考慮して適宜な大きさに裁断したものである。このブックカバー本体１１の素材としては、通常の紙のほか、ビニールや布製とすることができる。
上記ブックカバー本体１１は、書籍１２の両側の表紙１３に沿った表紙部分２１と、その中央の背表紙部分２２とで構成され、また表紙部分２１の端部には、後述するようにその片側もしくは両側に上記書籍１２の表紙１３に係合する折込み部２３，２３’が設けられている。
【００１２】
この考案の情報冊子部付きブックカバーにおいては、ブックカバー本体１１の片側もしくは両側の内側に、広告、宣伝その他の情報を掲載する情報冊子部１４を設けたことを特徴としている。
この情報冊子部１４は、図２に示すように、通常の書籍等と同様に複数枚のページを備え、文字や写真、図画等で表現されて、広告、宣伝その他の情報を掲載しているものであり、ぱらぱらとめくって通常の書籍類と同様に読むことができるようになっている。
該情報冊子部１４の背の部分の綴じ方は、接着剤、糸綴じ、ステープル等の手段を用いて適宜行なうことができる。
【００１３】
またこの情報冊子部１４の両側にはそれぞれ上記書籍１２の表紙１３に係合する折込み部２３，２３’がそれぞれ配置されている。折込み部２３は、書籍１２と隣接する内側紙片の側に設けられ、内側紙片と反対の外側紙片の側では折込み部２３’を介して情報冊子部１４と連結されている。この連結部分にはミシン目２４が形成してあるので、このミシン目２４部分で切り離すことによって情報冊子部１４をブックカバー本体１１から分離させることができる。
したがって、この情報冊子部１４が不要になったときは、図３に示すように、表紙部分２１端部の情報冊子部１４を折込み部２３’からミシン目２４部分で切り離すことによってブックカバー本体１１から分離させればよい。
【００１４】
図４は情報冊子部１４を切り離すタイプを示すものであり、図４（ａ）においては、上記ブックカバー本体１１の情報冊子部１４の書籍１２と隣接する内側紙片とは反対側の外側紙片にも、書籍１２の表紙１３に係合する折込み部２３’が設けられ、かつ該折込み部２３’部分の適所にはミシン目２４が形成してある。すなわち、折込み部２３’部分の適所に設けたミシン目２４に沿って切断することにより、情報冊子部１４をブックカバー本体１１から切り離すことができる。
したがって、前記情報冊子部１４が不要になった場合には、図４（ｂ）のように情報冊子部１４のみを前記ミシン目２４において折込み部２３’から切り離すことができるので、書籍１２のみをブックカバー付きで保管することができる。
【００１５】
また図４（ａ’）においては、上記ブックカバー本体１１の情報冊子部１４の外側紙片に設けた折込み部２３’を書籍１２の表紙１３に係合し、かつ折込み部２３を省略した場合である。
したがって、前記情報冊子部１４が不要になった場合には、図４（ｂ’）のように情報冊子部１４のみを前記ミシン目２４において折込み部２３’から切り離すことができるので、書籍１２のみをブックカバー付きで保管することができる。
なお、切り離し可能な構造としては、前記ミシン目２４のほかに、剥がしやすい接着剤による接着、クリップによる連結等の手段を用いることができる。
【００１６】
図５は情報冊子部１４を切り離さないタイプを示し、上記ブックカバー本体１１の情報冊子部１４の書籍１２と隣接する内側紙片に書籍１２の表紙１３に係合する折込み部２３が設けられている。したがって、情報冊子部１４がブックカバー本体１１の外側にあるので、書籍１２と連続して情報冊子部１４もめくることができ、読みやすい構造となっている。
【００１７】
ところで、上記情報冊子部１４はブックカバー本体１１を外装した書籍１２とほぼ同サイズとすることにより、書籍１２の本文と一体感をもって連続して読むことができることをも特徴としている。
【００１８】
次に、かかる構成よりなる情報冊子部付きブックカバーの使用の実際について説明する。
購入する書籍にあった大きさのブックカバー本体１１上に当該書籍の表紙を置き、両側の折込み部２３，２３もしくは折込み部２３，２３’を内側に折り曲げ、カバーした後、客に手渡す。
情報冊子部１４を切り離すタイプの場合、図４（ａ），（ａ’）に示すように折込み部２３’の適所にミシン目２４を形成してあるので、図４（ｂ），（ｂ’）に示すように情報冊子部１４のみをミシン目２４において折込み部２３’から切り離すことができる。したがって、書籍の購入者は書籍のみをブックカバー付きで保管することができる。
また情報冊子部１４を切り離さないタイプの場合、図５に示すように、情報冊子部１４は書籍１２と連続かつ一体的であり、読書感覚で自然に情報冊子部１４の情報を読み取ることができる。
【００１９】
いずれにしても、情報冊子部１４が通常の折込み部の場合と異なり、重くなって書籍の表紙から外れやすくなってしまうため、折込み部２３，２３’の上下を折り込んだり、袋状に連結すること等によって閉鎖構造とし、書籍１２の表紙１３を差込んで確実に保持できるようにしておくことが望ましい。
なお、これまでブックカバー本体１１の片側に情報冊子部１４を取り付けた場合について例示したが、ブックカバー本体１１の両側に情報冊子部１４を取り付けてもよいことはもちろんである。
【産業上の利用可能性】
【００２０】
この考案の情報冊子部付きブックカバーは以上のように構成したので、通常の書籍類のブックカバーとしてはもちろん、雑誌類や辞書類、ブック形式のＣＤカセット類等、さまざまな用途に使用することができる。
【図面の簡単な説明】
【００２１】
【図１】この考案に係る情報冊子部付きブックカバーの１実施側を示し、書籍に取り付ける場合の斜視図である。
【図２】情報冊子部を切り離すタイプの情報冊子部付きブックカバーの斜視図である。
【図３】情報冊子部を切り離した状態の斜視図である。
【図４】情報冊子部を切り離すタイプの情報冊子部付きブックカバーを示し、（ａ）はブックカバーの折込み部を情報冊子部の書籍と隣接する内側紙片に設けて書籍の表紙をはめ込んだ場合の上面図、（ｂ）はブックカバーから情報冊子部を切り離し、情報冊子部の外側紙片に設けたブックカバーの折込み部に書籍の表紙をはめ込んだ場合の上面図、また（ａ’）は情報冊子部の外側紙片に設けたブックカバーの折込み部に書籍の表紙をはめ込んだ場合の上面図、（ｂ’）はブックカバーから情報冊子部を切り離した場合の上面図である。
【図５】情報冊子部を切り離さないタイプを示す上面図である。
【符号の説明】
【００２２】
１１  ブックカバー本体
１２  書籍
１３  表紙
１４  情報冊子部
２１  表紙部分
２２  背表紙部分
２３，２３’  折込み部
２４  ミシン目
【図１】
0003139828.tif 000003
【図２】
0003139828.tif 000004
【図３】
0003139828.tif 000005
【図４】
0003139828.tif 000006
【図５】
0003139828.tif 000007